【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
複数の走査線と、
複数のデータ線と、
前記複数の走査線うち１の走査線と前記複数のデータ線のうち１のデータ線との交差に対応して設けられた画素回路と、
前記画素回路を駆動する駆動回路と、を有し、
前記画素回路は、
第１トランジスターと、
発光素子と、
前記データ線と前記第１トランジスターのゲートとの間に接続され、オンまたはオフする第２トランジスターと、
前記第１トランジスターにおけるゲートとドレインとの間に接続され、オンまたはオフする第３トランジスターと、を含み、
前記第１トランジスターと前記発光素子とは、高位側の電源と低位側の電源との間で直列に接続され、
前記駆動回路は、
一端が前記１のデータ線に接続された第１保持容量と、
前記１のデータ線の電位を保持する第２保持容量と、を含み、
前記駆動回路は、
第１期間に、
前記データ線と初期電位を給電する第１給電線とを電気的に接続し、前記第１保持容量の他端と所定電位を給電する第２給電線とを電気的に接続し、
前記第１期間の後の第２期間内に、
前記データ線と前記第１給電線とを電気的に非接続とし、前記第１保持容量の他端と第２給電線との接続を維持した状態で前記第２トランジスターおよび前記第３トランジスターをオンさせ、
前記第２期間の後の第３期間に、
前記第１保持容量の他端と第２給電線とを電気的に非接続として、データ信号を前記第１持容量の他端に供給し、
前記第３期間の後に、前記第２トランジスターをオフさせる
ことを特徴とする電気光学装置。
【請求項２】
前記駆動回路は、第３保持容量を有し、
前記駆動回路は、
前記第３期間よりも前に供給された、階調レベルに応じた信号を前記第３保持容量に保持し、
前記第３期間に、前記第３保持容量に保持された電位を、前記データ信号として前記第１保持容量の他端に供給する
ことを特徴とする請求項１に記載の電気光学装置。
【請求項３】
制御回路をさらに備え、
前記駆動回路は、第１スイッチおよび第２スイッチを有し、
前記第１スイッチの入力端は、前記第３保持容量の一端と前記第２スイッチの出力端に接続され、
前記第１スイッチの出力端は、前記第１保持容量の他端に接続され、
前記制御回路は、
前記第３期間よりも前に、階調レベルに応じた信号が前記第２スイッチの入力端に供給された状態で、前記第１スイッチをオフさせ、前記第２スイッチをオンさせ、
前記第３期間において、前記第２スイッチをオフとした状態で、前記第１スイッチをオンさせる
ことを特徴とする請求項２に記載の電気光学装置。
【請求項４】
前記制御回路は、少なくとも前記第１期間または前記第２期間の少なくとも一部において、階調レベルに応じた信号が前記第２スイッチの入力端に供給された状態で、第１スイッチをオフさせ、前記第２スイッチをオンさせる
ことを特徴とする請求項３に記載の電気光学装置。
【請求項５】
前記複数のデータ線は２本以上のデータ線毎にグループ化され、一のグループに属する２本以上のデータ線に対応した前記第２スイッチの入力端は共通接続され、
前記制御回路は、
前記一のグループに属する複数の第２スイッチを、前記信号の供給に合わせて所定の順番でオンさせる
ことを特徴とする請求項４に記載の電気光学装置。
【請求項６】
前記画素回路は、
前記発光素子における２端子のうち、前記第１トランジスター側の端子と、所定のリセット電位を給電する第３給電線との間でオンまたはオフする第４トランジスターを有する  ことを特徴とする請求項１乃至５のいずれかに記載の電気光学装置。
【請求項７】
前記第３給電線は、前記１のデータ線に沿って設けられている
ことを特徴とする請求項６に記載の電気光学装置。
【請求項８】
前記第２保持容量の一端は前記１のデータ線に接続され、前記第２保持容量の他端は前記第３給電線に接続される
ことを特徴とする請求項６に記載の電気光学装置。
【請求項９】
前記駆動回路は、前記第３期間内に、前記第３トランジスターをオフさせる
ことを特徴とする請求項１乃至８のいずれかに記載の電気光学装置。
【請求項１０】
前記画素回路は、
前記第１トランジスターによって前記発光素子に供給される電流経路に設けられ、オンまたはオフする第５トランジスターを有し、
前記駆動回路は、
前記第４トランジスターをオフさせて、前記第５トランジスターをオンさせる
ことを特徴とする請求項６に記載の電気光学装置。
【請求項１１】
前記第１保持容量の容量は、前記第２保持容量の容量よりも小さい
ことを特徴とする請求項１乃至１０のいずれかに記載の電気光学装置。
【請求項１２】
走査線と、
データ線と、
前記走査線と前記データ線との交差に対応して設けられた画素回路と、
前記画素回路を駆動する駆動回路と、を有し、
前記画素回路は、
第１トランジスターと、
発光素子と、
前記データ線と前記第１トランジスターのゲートとの間に接続され、オンまたはオフする第２トランジスターと、
前記第１トランジスターにおけるゲートとドレインとの間に接続され、オンまたはオフする第３トランジスターと、を含み、
前記第１トランジスターと前記発光素子とは、高位側の電源と低位側の電源との間で直列に接続され、
前記駆動回路は、
一端に前記データ線に接続され、他端にデータ信号が供給される第１保持容量と、
前記データ線の電位を保持する第２保持容量と、を含み、
前記第１保持容量の容量は、前記第２保持容量の容量よりも小さい
ことを特徴とする電気光学装置。
【請求項１３】
前記第１トランジスターのゲートの電位範囲は、前記データ信号の電位範囲よりも狭い
ことを特徴とする請求項１２に記載の電気光学装置。
【請求項１４】
前記駆動回路は、第３保持容量と、第１スイッチと、階調レベルに応じた信号が入力される第２スイッチと、をさらに有し、
前記第１スイッチの入力端は、前記第３保持容量の一端と前記第２スイッチの出力端に接続され、
前記第１スイッチの出力端は、前記第１保持容量の他端に接続される
ことを特徴とする請求項１２または請求項１３に記載の電気光学装置。
【請求項１５】
前記画素回路は、
前記発光素子における２端子のうち、前記第１トランジスター側の端子と、所定のリセット電位を給電する第３給電線との間でオンまたはオフする第４トランジスターを有する
ことを特徴とする請求項１２ないし請求項１４のいずれかに記載の電気光学装置。
【請求項１６】
前記第３給電線は、前記データ線に沿って設けられている
ことを特徴とする請求項１５に記載の電気光学装置。
【請求項１７】
前記第２保持容量の一端は前記データ線に接続され、前記第２保持容量の他端は前記第３給電線に接続される
ことを特徴とする請求項１５または請求項１６に記載の電気光学装置。
【請求項１８】
複数の走査線と、
複数のデータ線と、
一端が前記データ線に接続された第１保持容量と、
前記複数のデータ線のうち１のデータ線の電位を保持する第２保持容量と、
前記複数の走査線のうち１の走査線と前記１のデータ線との交差に対応して設けられた画素回路と、
を有し、
前記画素回路は、
第１トランジスターと、
発光素子と、
前記１のデータ線と前記第１トランジスターのゲートとの間に接続され、オンまたはオフする第２トランジスターと、
前記第１トランジスターにおけるゲートとドレインとの間に接続され、オンまたはオフする第３トランジスターと、を含み、
前記第１トランジスターと前記発光素子とは、高位側の電源と低位側の電源との間で直列に接続された電気光学装置の駆動方法であって、
第１期間に、
前記１のデータ線と初期電位を給電する第１給電線とを電気的に接続し、前記第１保持容量の他端と所定電位を給電する第２給電線とを電気的に接続し、
前記第１期間の後の第２期間に、
前記１のデータ線と前記第１給電線とを電気的に非接続とし、前記第１保持容量の他端と第２給電線との接続を維持した状態で前記第２トランジスターおよび前記第３トランジスターをオンさせ、
前記第２期間の後の第３期間に、
前記第１保持容量の他端と第２給電線とを電気的に非接続として、前記輝度に応じた電位の信号を前記第１保持容量の他端に供給し、
前記第３期間の後に、前記第２トランジスターをオフさせる
ことを特徴とする電気光学装置の駆動方法。
【請求項１９】
請求項１乃至１７のいずれかに記載の電気光学装置を備える
ことを特徴とする電子機器。
【手続補正２】
【補正対象書類名】明細書
【補正対象項目名】０００５
【補正方法】変更
【補正の内容】
【０００５】
上記目的を達成するために本発明に係る電気光学装置にあっては、複数の走査線と、複数のデータ線と、前記複数の走査線うち１の走査線と前記複数のデータ線のうち１のデータ線との交差に対応して設けられた画素回路と、前記画素回路を駆動する駆動回路と、を有し、前記画素回路は、第１トランジスターと、発光素子と、前記データ線と前記第１トランジスターのゲートとの間に接続され、オンまたはオフする第２トランジスターと、前記第１トランジスターにおけるゲートとドレインとの間に接続され、オンまたはオフする第３トランジスターと、を含み、前記第１トランジスターと前記発光素子とは、高位側の電源と低位側の電源との間で直列に接続され、前記駆動回路は、一端が前記１のデータ線に接続された第１保持容量と、前記１のデータ線の電位を保持する第２保持容量と、を含み、前記駆動回路は、第１期間に、前記データ線と初期電位を給電する第１給電線とを電気的に接続し、前記第１保持容量の他端と所定電位を給電する第２給電線とを電気的に接続し、前記第１期間の後の第２期間内に、前記データ線と前記第１給電線とを電気的に非接続とし、前記第１保持容量の他端と第２給電線との接続を維持した状態で前記第２トランジスターおよび前記第３トランジスターをオンさせ、前記第２期間の後の第３期間に、前記第１保持容量の他端と第２給電線とを電気的に非接続として、データ信号を前記第１持容量の他端に供給し、前記第３期間の後に、前記第２トランジスターをオフさせることを特徴とする。
本発明によれば、第１期間に、データ線、第１保持容量および第２保持容量が初期化される。第２期間に、第２トランジスターおよび第３トランジスターがそれぞれオンしたとき、データ線および第１トランジスターのゲートは、当該第１トランジスターの閾値電圧に対応した電位となる。第３期間において、第２トランジスターをオンさせた状態で、輝度に応じた電位の信号が第１保持容量の他端に供給されたとき、データ線および第１トランジスターのゲートは、閾値電圧に応じた電位から、当該第１保持容量の他端における電位変動を容量比で分圧した分だけシフトする。このため、第１トランジスターのゲートにおける電位範囲は、第１保持容量の他端における電位範囲に対し狭められる。したがって、本発明によれば、細かい精度のデータ信号を必要としない一方で、トランジスターの特性を補償しつつ、発光素子に供給する電流を精度良く供給することができる。
【手続補正３】
【補正対象書類名】明細書
【補正対象項目名】０００６
【補正方法】変更
【補正の内容】
【０００６】
本発明において、前記駆動回路は、第３保持容量を有し、前記駆動回路は、前記第３期間よりも前に供給された、階調レベルに応じた信号を前記第３保持容量に保持し、前記第３期間に、前記第３保持容量に保持された電位を、前記データ信号として前記第１保持容量の他端に供給する構成が好ましい。
この構成において、制御回路をさらに備え、前記駆動回路は、第１スイッチおよび第２スイッチを有し、前記第１スイッチの入力端は、前記第３保持容量の一端と前記第２スイッチの出力端に接続され、前記第１スイッチの出力端は、前記第１保持容量の他端に接続され、前記制御回路は、前記第３期間よりも前に、階調レベルに応じた信号が前記第２スイッチの入力端に供給された状態で、前記第１スイッチをオフさせ、前記第２スイッチをオンさせ、前記第３期間において、前記第２スイッチをオフとした状態で、前記第１スイッチをオンさせる態様が良い。
この態様において、前記制御回路は、少なくとも前記第１期間または前記第２期間の少なくとも一部において、階調レベルに応じた信号が前記第２スイッチの入力端に供給された状態で、第１スイッチをオフさせ、前記第２スイッチをオンさせても良い。
また、このような態様において、前記複数のデータ線は２本以上のデータ線毎にグループ化され、一のグループに属する２本以上のデータ線に対応した前記第２スイッチの入力端は共通接続され、前記制御回路は、前記一のグループに属する複数の第２スイッチを、前記信号の供給に合わせて所定の順番でオンさせても良い。
【手続補正４】
【補正対象書類名】明細書
【補正対象項目名】０００７
【補正方法】変更
【補正の内容】
【０００７】
本発明において、前記画素回路は、前記発光素子における２端子のうち、前記第１トランジスター側の端子と、所定のリセット電位を給電する第３給電線との間でオンまたはオフする第４トランジスターを有する構成としても良い。この構成によれば、発光素子に寄生する容量の保持電圧の影響を抑えることができる。
この構成において、前記第３給電線は、前記１のデータ線に沿って設けられている態様としても良い。
この態様において、前記第２保持容量の一端は前記１のデータ線に接続され、前記第２保持容量の他端は前記第３給電線に接続された構成にすると、例えばデータ線と第３給電線とで絶縁層を挟持することによって第２保持容量を構成すると、当該第２保持容量として比較的大きな容量を小スペースで形成することができる。
前記駆動回路は、前記第３期間内に、前記第３トランジスターをオフさせる構成としても良い。
また、前記画素回路は、前記第１トランジスターによって前記発光素子に供給される電流経路に設けられ、オンまたはオフする第５トランジスターを有し、前記駆動回路は、前記第４トランジスターをオフさせて、前記第５トランジスターをオンさせても良い。これにより、発光素子に寄生する容量をリセットしている期間と、発光素子に電流を供給して発光させる期間とを排他的とすることができる。
前記第１保持容量の容量は、前記第２保持容量の容量よりも小さいことが好ましい。
前記画素回路は、前記第１トランジスターのゲート・ソース間の電圧を保持する第４保持容量を含んでも良い。この第４保持容量については、当該第１トランジスターの寄生容量でも良いし、別途設けた容量素子でも良い。
本発明の別の態様に係る電気光学装置にあっては、走査線と、データ線と、前記走査線と前記データ線との交差に対応して設けられた画素回路と、前記画素回路を駆動する駆動回路と、を有し、前記画素回路は、第１トランジスターと、発光素子と、前記データ線と前記第１トランジスターのゲートとの間に接続され、オンまたはオフする第２トランジスターと、前記第１トランジスターにおけるゲートとドレインとの間に接続され、オンまたはオフする第３トランジスターと、を含み、前記第１トランジスターと前記発光素子とは、高位側の電源と低位側の電源との間で直列に接続され、前記駆動回路は、一端に前記データ線に接続され、他端にデータ信号が供給される第１保持容量と、前記データ線の電位を保持する第２保持容量と、を含み、前記第１保持容量の容量は、前記第２保持容量の容量よりも小さいことを特徴とする電気光学装置。
前記第１トランジスターのゲートの電位範囲は、前記データ信号の電位範囲よりも狭いことが好ましい。
前記駆動回路は、第３保持容量と、第１スイッチと、階調レベルに応じた信号が入力される第２スイッチと、をさらに有し、前記第１スイッチの入力端は、前記第３保持容量の一端と前記第２スイッチの出力端に接続され、前記第１スイッチの出力端は、前記第１保持容量の他端に接続される構成としても良い。
前記画素回路は、前記発光素子における２端子のうち、前記第１トランジスター側の端子と、所定のリセット電位を給電する第３給電線との間でオンまたはオフする第４トランジスターを有しても良い。
前記第３給電線は、前記データ線に沿って設けられても良い。
前記第２保持容量の一端は前記データ線に接続され、前記第２保持容量の他端は前記第３給電線に接続されても良い。
なお、本発明は、電気光学装置のほか、電気光学装置の駆動方法や、当該電気光学装置を有する電子機器として概念することも可能である。電子機器としては、典型的にはヘッドマウント・ディスプレイ（ＨＭＤ）や電子ビューファイダーのなどの表示装置が挙げられる。